(57)【要約】【課題】  コントラストの良好なＰＤＰを別途の工程を必要とせずに製作する。【解決手段】  表示部と前記表示部の周辺にある周辺部とを備えたＰＤＰにおいて、前記表示部は、透明な前面基板、前記前面基板の下側に配置された背面基板、前記前面基板と背面基板との間に相互平行に形成された維持電極対、前記維持電極対を覆っており、透明な第１誘電体層、前記維持電極対と背面基板との間に配置され、前記維持電極対と交差するように形成されたアドレス電極、前記アドレス電極を覆っており、光吸収色を帯びる第２誘電体層、前記第２誘電体層上に形成されて発光セルを区画する透明な隔壁、前記発光セル内に形成された蛍光体層、及び前記発光セル内に充填された放電ガスを備えることを特徴とするＰＤＰである。【選択図】            図８
2005063961.tif 000002
【特許請求の範囲】
【請求項１】
表示部と前記表示部の周辺にある周辺部とを備えたプラズマディスプレイパネルにおいて、
前記表示部は、透明な前面基板、前記前面基板の下側に配置された背面基板、前記前面基板と背面基板との間に相互に平行に形成された維持電極対、前記維持電極対を覆っており、透明な第１誘電体層、前記維持電極対と背面基板との間に配置され、前記維持電極対と交差するように形成されたアドレス電極、前記アドレス電極を覆っており、光吸収色を帯びる第２誘電体層、前記第２誘電体層上に形成されて発光セルを区画する透明な隔壁、前記発光セル内に形成された蛍光体層、及び前記発光セル内に充填された放電ガスを備えることを特徴とするプラズマディスプレイパネル。
【請求項２】
前記光吸収色は、黒色であることを特徴とする請求項１に記載のプラズマディスプレイパネル。
【請求項３】
前記第１誘電体層は、ＭｇＯ膜によって覆われていることを特徴とする請求項１に記載のプラズマディスプレイパネル。
【請求項４】
表示部と前記表示部の周辺にある周辺部とを備えたプラズマディスプレイパネルにおいて、
前記表示部は、透明な前面基板、前記前面基板の下側に配置された背面基板、前記前面基板と背面基板との間に相互に平行に形成された維持電極対、前記維持電極対を覆っており、第１色を帯びている第１誘電体層、前記維持電極対と背面基板との間に配置され、前記維持電極対と交差するように形成されたアドレス電極、前記アドレス電極を覆っており、前記第１色と概略的に補色関係にある第２色を帯びる第２誘電体層、前記第２誘電体層上に形成されて発光セルを区画する透明な隔壁、前記発光セル内に形成された蛍光体層、及び前記発光セル内に充填された放電ガスを備えることを特徴とするプラズマディスプレイパネル。
【請求項５】
前記第１色と第２色のうち一色は青色であり、他の色は赤色であることを特徴とする請求項４に記載のプラズマディスプレイパネル。
【請求項６】
前記第１色と第２色のうち一色は青色であり、他の色は黄色であることを特徴とする請求項４に記載のプラズマディスプレイパネル。
【請求項７】
前記第１誘電体層は、ＭｇＯ膜によって覆われていることを特徴とする請求項４に記載のプラズマディスプレイパネル。
【請求項８】
表示部、前記表示部の周辺にある第１周辺部とを備えたプラズマディスプレイパネルにおいて、
前記第１周辺部は、透明な前面基板、前記前面基板の下側に配置された背面基板、前記前面基板と背面基板との間に形成され、透明な第１誘電体層、及び前記第１誘電体層と背面基板との間に形成されて光吸収色を帯び、蛍光体層によって覆われていない第２誘電体層を備えることを特徴とするプラズマディスプレイパネル。
【請求項９】
前記光吸収色は黒色であることを特徴とする請求項８に記載のプラズマディスプレイパネル。
【請求項１０】
表示部、前記表示部の周辺にある第１周辺部とを備えたプラズマディスプレイパネルにおいて、
前記第１周辺部は、透明な前面基板、前記前面基板の下側に配置された背面基板、前記前面基板と背面基板との間に形成され、第１色を帯びる第１誘電体層、及び前記第１誘電体層と背面基板との間に形成され、前記第１色と概略的に補色関係にある第２色を帯び、蛍光体層によって覆われていない第２誘電体層を備えることを特徴とするプラズマディスプレイパネル。
【請求項１１】
前記第１色と第２色のうち一色は青色であり、他の色は赤色であることを特徴とする請求項１０に記載のプラズマディスプレイパネル。
【請求項１２】
前記第１色と第２色のうち一色は青色であり、他の色は黄色であることを特徴とする請求項１０に記載のプラズマディスプレイパネル。
【発明の詳細な説明】
【技術分野】
【０００１】
本発明はプラズマディスプレイパネル（Ｐｌａｓｍａ Ｄｉｓｐｌａｙ Ｐａｎａｌ、以下ＰＤＰという）に係り、さらに詳細にはコントラストが向上したＰＤＰに関する。
【背景技術】
【０００２】
図１には、特許文献１に開示されたディスプレイパネルの断面が示されている。このディスプレイパネルは、負極２１が形成された背面基板２０、正極１１が形成された前面基板１０、前記背面基板と前面基板との間に介在された隔壁３０を備える。前記負極２１には蛍光層２２が形成されており、正極と負極との間の電気的駆動によって発光できる。このディスプレイパネルの隔壁３０の上側には黒色層３１が形成されているが、これはディスプレイパネルのコントラストを向上させるためのものである。
【０００３】
前記ディスプレイパネルの場合、黒色層３１によってコントラストは向上するが、この黒色層を形成するためには別途の工程が要求されて付加的な時間とコストとが必要であるという短所がある。
【０００４】
図２には、特許文献２に開示されたディスプレイパネルが示されている。このディスプレイパネルも前面基板１０及び背面基板２０を備え、前記前面基板の下面には放電のためのＸ電極ＸとＹ電極Ｙとが順次に形成されており、誘電体層Ｄが前記Ｘ電極ＸとＹ電極Ｙとを覆っている。このディスプレイパネルにおける放電は、隣接したＸ電極ＸとＹ電極Ｙとの間に起るので、図２に示されたように相互に放電しない離隔されたＸ電極ＸとＹ電極Ｙとの間には光遮断フィルムＳが配置されている。この光遮断フィルムは、このディスプレイパネルのコントラストを向上させるために黒色であり得る。
【０００５】
しかし、たとえ前記光遮断フィルムＳを黒色に形成して、前記ディスプレイパネルのコントラストを向上させることができたとしても、前述した従来のディスプレイパネルと同様に、前記光遮断フィルムは、これを形成するための別途の工程を必要とするという短所がある。
【特許文献１】米国特許第４,６９２,６６２号公報
【特許文献２】米国特許第５,９５２,７８２号公報
【発明の開示】
【発明が解決しようとする課題】
【０００６】
本発明は前記と同じ問題点を解決して、別途の工程を必要とせずに製作でき、かつコントラストの向上したＰＤＰを提供することを目的とする。
【０００７】
また、本発明は色純度が向上したＰＤＰを提供することを目的とする。
【０００８】
さらに、本発明は美感が向上するＰＤＰを提供することを目的とする。
【課題を解決するための手段】
【０００９】
前記目的を達成するために本発明は、表示部と前記表示部の周辺にある周辺部とを備えたＰＤＰにおいて、前記表示部は、透明な前面基板、前記前面基板の下側に配置された背面基板、前記前面基板と背面基板との間に相互に平行に形成された維持電極対、前記維持電極対を覆っており、透明な第１誘電体層、前記維持電極対と背面基板との間に配置され、前記維持電極対と交差するように形成されたアドレス電極、前記アドレス電極を覆っており、光吸収色を帯びる第２誘電体層、前記第２誘電体層上に形成されて発光セルを区画する透明な隔壁、前記発光セル内に形成された蛍光体層、及び前記発光セル内に充填された放電ガスを備えることを特徴とするＰＤＰを提供する。
【００１０】
前記光吸収色は黒色であることが望ましく、前記第１誘電体層はＭｇＯ膜によって覆われていることが望ましい。
【００１１】
また、前記目的を達成するために本発明は、表示部と前記表示部の周辺にある周辺部とを備えたＰＤＰにおいて、前記表示部は、透明な前面基板、前記前面基板の下側に配置された背面基板、前記前面基板と背面基板との間に相互に平行に形成された維持電極対、前記維持電極対を覆っており、第１色を帯びている第１誘電体層、前記維持電極対と背面基板との間に配置され、前記維持電極対と交差するように形成されたアドレス電極、前記アドレス電極を覆っており、前記第１色と概略的に補色関係にある第２色を帯びる第２誘電体層、前記第２誘電体層上に形成されて発光セルを区画する透明な隔壁、前記発光セル内に形成された蛍光体層、及び前記発光セル内に充填された放電ガスを備えることを特徴とするＰＤＰを提供する。
【００１２】
前記第１色と第２色のうち一色は青色であり、他の色は赤色でありうる。
【００１３】
前記第１色と第２色のうち一色は青色であり、他の色は黄色でありうる。
【００１４】
前記第１誘電体層はＭｇＯ膜によって覆われていることが望ましい。
【００１５】
さらに、前記目的を達成するために本発明は、表示部と前記表示部の周辺にある第１周辺部とを備えたＰＤＰにおいて、前記第１周辺部は、透明な前面基板、前記前面基板の下側に配置された背面基板、前記前面基板と背面基板との間に形成され、透明な第１誘電体層、及び前記第１誘電体層と背面基板との間に形成され、光吸収色を帯び、蛍光体層によって覆われていない第２誘電体層を備えることを特徴とするＰＤＰを提供する。
【００１６】
前記光吸収色は黒色であることが望ましい。
【００１７】
また、前記目的を達成するために本発明は、表示部と前記表示部の周辺にある第１周辺部とを備えたＰＤＰにおいて、前記第１周辺部は、透明な前面基板、前記前面基板の下側に配置された背面基板、前記前面基板と背面基板との間に形成され、第１色を帯びる第１誘電体層、及び前記第１誘電体層と背面基板との間に形成され、前記第１色と概略的に補色関係にある第２色を帯び、蛍光体層によって覆われていない第２誘電体層を備えることを特徴とするＰＤＰを提供する。
【００１８】
前記第１色と第２色のうち一色は青色であり、他の色は赤色でありうる。
【００１９】
前記第１色と第２色のうち一色は青色であり、他の色は黄色でありうる。
【発明の効果】
【００２０】
本発明によって、別途の工程を必要とせずに製作でき、かつコントラストの向上したＰＤＰが提供される。
【００２１】
また、本発明によって色純度の向上したＰＤＰが提供される。
【００２２】
さらに、本発明によって美感の向上したＰＤＰが提供される。
【発明を実施するための最良の形態】
【００２３】
以下、添付された図面を参照して本発明を詳細に説明する。
【００２４】
図３に示されたプラズマディスプレイ装置は、中央にウィンドー１１２が形成され、ＰＤＰの周辺部を遮蔽する周辺部１１１を備えた前方キャビネット１１０、前記前方キャビネットの後方に配置されて前記ウィンドーを覆う電磁気波遮断フィルター１１５、前記電磁気波遮断フィルターの後方に配置されて上板１４０と下板１２０とを備えたＰＤＰ １５０、前記ＰＤＰを支持するシャシー１６０、前記シャシーの後方に設置され、前記ＰＤＰを駆動する回路部１６２、及び前記回路部の後方に配置され、前記前方キャビネットと結合される後方キャビネット１７０を備える。
【００２５】
前記電磁気波遮断フィルター１１５は、フィルターホルダー１３０によって前方キャビネット１１０の後面に密着され、前記ＰＤＰ １５０は前記フィルターホルダーの後面に付着された遮蔽部材１３６に密着される。また、ＰＤＰを駆動する回路部１６２は、ＦＰＣ（Ｆｌｅｘｉｂｌｅ Ｐｒｉｎｔｅｄ Ｃａｂｌｅ）のようなケーブル１６１によってＰＤＰ １５０に連結される。
【００２６】
前記ＰＤＰ １５０は、図４に示されたように表示部１５０Ａと前記表示部を取り囲んでいる周辺部１５０Ｂとを備え、前記周辺部は内側にある第１周辺部１５０Ｃと外側にある第２周辺部１５０Ｄとに区分される。
【００２７】
前記表示部１５０Ａは、前記前方キャビネットのウィンドー１１２を通じて画像を表示する部分であり、第１周辺部１５０Ｃは、後述する表示部の構造と類似した構造を有するが、蛍光体層が形成されていない部分であり、第２周辺部１５０Ｄは、前記上板１４０と下板１２０とを密封するフリットが配置された部分である。図４に示された上板の左側部及び右側部１４０Ａは、上板に配置された維持電極が前記ケーブル１６１と連結される部分であり、下板の上部及び下部１２０Ａは、下板に配置されたアドレス電極がケーブル１６１と連結される部分である。
【００２８】
図５を参照して本発明の第１の実施の形態によるＰＤＰの表示部１５０Ａについてさらに詳細に説明する。
【００２９】
前記表示部１５０Ａは、透明な前面基板１４１、前記前面基板の下側に配置された背面基板１２１、前記前面基板と背面基板との間、さらに具体的には前面基板の下面１４１ａに相互に平行に形成された維持電極対１４６、前記維持電極対を覆っており、透明な第１誘電体層１４４、前記維持電極対と背面基板との間、さらに具体的には背面基板の上面１２１ａに配置され、前記維持電極対と交差するように形成されたアドレス電極１２５、前記アドレス電極を覆っており、光吸収色を帯びる第２誘電体層１２２、前記第２誘電体層上に形成されて発光セル１２４を区画する透明な隔壁１２３、前記発光セル内に形成された蛍光体層１２６、及び前記発光セル内に充填された放電ガスを備える。
【００３０】
前記前面基板１４１は、ガラスのように光透過性が良好な材料で製造される。
【００３１】
前記背面基板１２１は、アドレス電極１２５、第２誘電体層１２２などを支持し、通常的には、ガラスを主成分とする材料で製造される。
【００３２】
前記維持電極対１４６は、Ｙ電極１４２とＸ電極１４３とを備えるが、前記Ｙ電極とＸ電極との間でＰＤＰの画像を具現する維持放電が起こる。前記Ｙ電極とＸ電極それぞれは、ＩＴＯなどのような導電性である透明電極１４２ａ，１４３ａと前記透明電極による電圧降下を防止するバス電極１４２ｂ，１４３ｂとを備える。前記バス電極１４２ｂ，１４３ｂは、銀、アルミニウム、銅などのような導電性金属よりなり、２層構造に形成される。前記２層構造において、ＰＤＰの前方にある層は、コントラストの向上のために暗い色を帯び、後方にある層は、内光の反射のために明るい色を帯びる。
【００３３】
前記第１誘電体層１４４は、維持放電時にＹ電極１４２とＸ電極１４３との直接通電を防止し、荷電粒子が前記電極１４２，１４３に直接衝突してこれらを損傷させることを防止し、荷電粒子を誘導して壁電荷を蓄積できる誘電体として形成されるが、このような誘電体としてはＰｂＯ、Ｂ２Ｏ３、ＳｉＯ２などがある。
【００３４】
前記第１誘電体層１４４は、ＭｇＯ膜１４５によって覆われていることが望ましい。ＭｇＯ膜が必須的な構成要素ではないが、これは荷電粒子が第１誘電体層１４４に衝突して第２誘電体層を損傷させることを防止し、放電時、２次電子を多く放出して放電を容易にする。
【００３５】
前記アドレス電極１２５は、前記Ｙ電極１４２とＸ電極１４３との間の維持放電をさらに容易にするためのアドレス放電を起こすためのものであって、さらに具体的には維持放電が開始される電圧を低くする役割を担う。前記アドレス放電は、Ｙ電極１４２とアドレス電極１４３との間に起こる放電であって、アドレス放電が終了すれば、Ｙ電極１４２側に正イオンが蓄積され、Ｘ電極１４３側に電子が蓄積され、これにより、Ｙ電極とＸ電極との間の維持放電がさらに容易になる。
【００３６】
前記第２誘電体層１２２は、放電時、正イオンまたは電子がアドレス電極１２５に衝突してアドレス電極を損傷させることを防止しつつも電荷を誘導できる誘電体として形成されるが、このような誘電体としてはＰｂＯ、Ｂ２Ｏ３、ＳｉＯ２などがある。
【００３７】
前記隔壁１２３は、一ピクセルを構成する赤色発光サブピクセル、緑色発光サブピクセル、及び青色発光サブピクセルのうち一サブピクセルに当る発光セル１２４を区画し、この発光セル１２４間に誤放電が起こるのを防止する。図５には、隔壁１２３が発光セルをマトリックス状に区画すると示されたが、これに限定されず、蜂の巣状のような他の形態に区画することもある。
【００３８】
前記蛍光体層１２６は、前記維持放電によって発散された紫外線を受けて可視光線を放出する成分を含むが、赤色発光サブピクセルに形成された蛍光体層は、Ｙ（Ｖ,Ｐ）Ｏ４：Ｅｕのような蛍光体を含み、緑色発光サブピクセルに形成された蛍光体層はＺｎ２ＳｉＯ４：Ｍｎ、ＹＢＯ３：Ｔｂなどのような蛍光体を含み、青色発光サブピクセルに形成された蛍光体層はＢＡＭ：Ｅｕなどのような蛍光体を含む。
【００３９】
前記発光セル内に充填される放電ガスは、例えば、Ｘｅが５重量％含まれたＮｅ−Ｘｅ混合ガスであるが、必要に応じて、Ｎｅの一定量がＨｅに代替されることもある。
【００４０】
図６を参照して、上板１４０の表示部について説明する。図４に示されたように、前記上板において、バス電極１４２ｂ,１４３ｂを除外した全ての構成要素は透明である。
【００４１】
図７を参照して、下板１２０の表示部について説明する。隔壁１２３は、透明な材料（例えば、ガラス）よりなり、前記第２誘電体層１２２は光を吸収する光吸収色を帯びるので、下板を上側から見れば、第２誘電体層１２２と発光セル内に塗布された蛍光体層１２６とが見られる。ここで、光吸収色とは、可視光線を吸収する濃い系列の色を意味し、黒色が代表的であるが、これに限定されない。
【００４２】
第２誘電体層として使われるＰｂＯ、Ｂ２Ｏ３、ＳｉＯ２などに光吸収色を有する顔料が混合されることによって前記第２誘電体層が光吸収色を帯びる。
【００４３】
前記発光セル内には赤色蛍光体層Ｒ、緑色蛍光体層Ｇ、及び青色蛍光体層Ｂが発光セルごとに交代に塗布される。
【００４４】
前記上板と下板とが組立てられれば、図８のような形態を有する。
【００４５】
本実施の形態によるＰＤＰの表示部１５０Ａは、前記のような構成を有するので、上板１４０を通過して入射した外光は、隔壁１２３を通過して第２誘電体層１２２から吸収される。したがって、このＰＤＰのコントラストが向上する。
【００４６】
前記のようなＰＤＰの場合には、コントラストを向上させるために別途の構成要素を追加せず、従来の構成要素である隔壁を透明に形成し、第２誘電体層として着色された材料を使用する。したがって、付加的なコストと時間とがかからずにコントラストが向上するという長所を有する。
【００４７】
本実施の形態によるＰＤＰの第１周辺部１５０Ｃは、前記表示部１５０Ａと類似した構造を有するが、隔壁によって区画された発光セル１２４内に蛍光体層１２６が形成されないという点で表示部と相異なる。
【００４８】
前記隔壁１２３、第１誘電体層１４４、第２誘電体層１２２は、製造工程上の理由によって、それらそれぞれの周辺部が中央部だけ均一な厚さに形成され難いため、画像の具現に寄与しない第１周辺部１５０Ｃにそれらそれぞれの周辺部を配置させる。これにより、表示部１５０Ａにはそれらそれぞれの中央部が位置し、したがって、表示部にある隔壁１２３、第１誘電体層１４４、第２誘電体層１２２は均一な厚さを有する。第１周辺部は、画像を具現するための部分ではないので、前記表示部のように維持電極対とアドレス電極を全て必ずしも備える必要はない。
【００４９】
従来のＰＤＰは、全体的に透明であるか、または白色系列の色を帯びた。この場合には、図９に示されたようにプラズマディスプレイ装置の前方で前方キャビネットの周辺部１１１の下側を見れば、暗い色を帯びるバス電極１４２ｂ,１４３ｂが著しく見えて製品が粗雑であるという感じを与えるなど美感が悪いという問題があった。
【００５０】
しかし、本実施の形態によるＰＤＰの第１周辺部１５０Ｃは、光吸収色を帯びる第２誘電体層１２２を備えるため、図９に示されたように前方キャビネットの周辺部１１１の下側を見れば、暗い色を帯びる第２誘電体層１２２が見え、したがって、バス電極１４２ｂ,１４３ｂが目立って見えることによる美観上の問題点が解決される。
【００５１】
次いで、第１の実施の形態と相異なる事項を中心として本発明の第２の実施の形態によるＰＤＰについて詳細に説明する。
【００５２】
本実施の形態が第１の実施の形態と相異なる点は、第１誘電体層１４４が透明ではなく、第１色を帯び、第２誘電体層１２２は前記第１色とほぼ補色関係である第２色を帯びるということである。ここで、補色関係とは、色相表における完壁な補色関係を意味せず、互いに減算混合して黒色に近い色を有する色相関係を意味する。
【００５３】
本実施の形態においても、隔壁１２３は透明な材料よりなるので、前面基板１４１を通過して入射した外光の一部は、第１誘電体層１４４で一次的に吸収され、第１誘電体層１４４及び隔壁１２３を通過する光は、第２誘電体層１２２で吸収される。前記第１誘電体層と第２誘電体層とは互いに補色関係である色を帯びるので、前記外光のほとんどは第１誘電体層と第２誘電体層とで吸収され、したがって、外光反射によるコントラストの低下が減少する。
【００５４】
発光セル１２４から放出される光の一部は、前記第２誘電体層１２２によって反射されて前面基板を通過するので、前記第２誘電体層１２２は、可視光線に対して反射特性が良好な色で着色されることが望ましい。また、前記発光セルから放出される光は、第１誘電体層１４４を通じて外部に放出されるので、前記第１誘電体層は、Ｒ、Ｇ、及びＢのうち放出する光の色純度の弱い蛍光体層の発光色で着色されることが望ましい。
【００５５】
現在、ＰＤＰの蛍光体層のうち色純度の弱いのは青色であるので、これに焦点を合せれば、前記第１誘電体層は青色で着色されることが望ましい。第２誘電体層は、前記第１誘電体層の色相と補色関係である色相で着色されなければならないので、赤色または黄色の色相で着色されることが望ましい。第２誘電体層の色相が赤色である場合には、赤色が青色と共に黒色と非常に近い色を具現するので、コントラスト面で有利である。第２誘電体層の色相が黄色である場合には、黄色の可視光線に対する反射特性が赤色より良いので、輝度面で有利である。
【００５６】
誘電体層の材料として使われるＰｂＯ、Ｂ２Ｏ３、ＳｉＯ２などに赤色、青色、または黄色の顔料が混合されることによって誘電体層が赤色、青色、または黄色を帯びる。具体的な第１誘電体層及び第２誘電体層の色相は、ＰＤＰの具体的な発光特性によって選択されることが望ましい。
【００５７】
前記第２の実施の形態の事項は、第１の実施の形態の場合のように、ＰＤＰの表示部１５０Ａだけではなく、第１周辺部１５０Ｃにも該当される。
【００５８】
本発明は、図面に示された実施の形態を参考として説明されたが、これは例示的なものに過ぎず、当業者ならば、これから多様な変形及び均等な他の実施の形態が可能であることが分かる。したがって、本発明の真の技術的保護範囲は、特許請求の範囲の技術的思想によって決定されなければならない。
【産業上の利用可能性】
【００５９】
本発明の外光を吸収する光吸収性の誘電体層を採用すれば、外光反射が減少してコントラストが向上したＰＤＰを製造できる。
【図面の簡単な説明】
【００６０】
【図１】従来のディスプレイパネルを示す断面図である。
【図２】他の従来のディスプレイパネルを示す断面図である。
【図３】本発明によるＰＤＰを備えたプラズマディスプレイ装置を示す分解斜視図である。
【図４】本発明によるＰＤＰを図３の前側から見た平面図である。
【図５】本発明によるＰＤＰの表示部を示す分解斜視図である。
【図６】本発明によるＰＤＰの上板を示す平面図である。
【図７】本発明によるＰＤＰの下板を示す平面図である。
【図８】本発明によるＰＤＰの上板と下板とが組立てられた状態を示す平面図である。
【図９】図３のプラズマディスプレイ装置が結合された状態でＩＸ−ＩＸ線に沿って取った断面図である。
【符号の説明】
【００６１】
１２０    下板、
１２３    隔壁、
１２６    蛍光体層、
１４０    上板、
１４２ａ,１４３ａ    透明電極、
１４２ｂ,１４３ｂ    バス電極。
【図１】
2005063961.tif 000003
【図２】
2005063961.tif 000004
【図３】
2005063961.tif 000005
【図４】
2005063961.tif 000006
【図５】
2005063961.tif 000007
【図６】
2005063961.tif 000008
【図７】
2005063961.tif 000009
【図８】
2005063961.tif 000010
【図９】
2005063961.tif 000011